(57)【特許請求の範囲】
【請求項１】
複数人の患者の生体信号を画像表示面の上方から順に下方へずれた所定の表示位置に複数チャネルで表示する生体信号モニタ装置に着脱自在に装着して、各チャネルに割り当てられた患者名を記名するための生体信号モニタ装置用ネームプレートであって、
拭き消し可能に記名することができ、かつ前記画像表示面に対応した縦幅の記名面を有する正面板と、前記画像表示面の周囲を囲むフレームの側部の正面に前記正面板を装着するように、前記正面板の背後に設けられ、かつ弾性を伴って前記フレーム側部を挟持する挟持部材とを備え、
前記正面板には、各チャネルの前記表示位置に対応して記名すべき位置を指示するマークが付されていることを特徴とする生体信号モニタ装置用ネームプレート。
【請求項２】
正面板におけるフレーム側部よりも側方ヘ突出した部分の背後に、筆記具を保持する筆記具ホルダを設けたことを特徴とする請求項１記載の生体信号モニタ装置用ネームプレート。
【請求項３】
挟持部材が、正面板の側部で折返されて前記正面板に対して離間している背面板であり、
フレーム側部の背面に、前記背面板の上下の縁部の少なくとも一方を側方へスライド可能にガイドするガイドレールと、前記背面板に形成された係合穴に係入する位置決め部用凸部とが形成されたことを特徴とする請求項１又は請求項２記載の生体信号モニタ装置用ネームプレート。
【請求項４】
挟持部材が、正面板の側部で折返されて前記正面板に対して離間している背面板であり、
フレーム側部の背面に、前記背面板の側縁部を上下方向にスライド可能にガイドするガイドレールと、前記背面板に形成された係合穴に係入する位置決め部用凸部とが形成されたことを特徴とする請求項１又は請求項２記載の生体信号モニタ装置用ネームプレート。
【発明の詳細な説明】
【０００１】
【発明の属する技術分野】
本発明は、生体信号を画像表示面の上方から順に下方へずれた所定の表示位置に複数チャネルで表示する生体信号モニタ装置に着脱自在に装着して、各チャネルに割り当てられた患者名を記名するための生体信号モニタ装置用ネームプレートに関するものである。
【０００２】
【従来の技術】
病院で複数人の患者の生体信号を一台の生体信号モニタ装置の画像表示面で上方から順にずらして複数チャネルで表示する場合、患者名との対応を明確にするために、画像表示面を囲むフレームにフェルトペン等の筆記具で患者名を書いたり、或はテープ等にフェルトペン等の筆記具で患者名を書いて貼り付ける等が行われている。
【０００３】
【発明が解決しようとする課題】
これにより、画像表示面に表示された生体信号の患者を確認し易くなるが、モニタ装置の見掛け上好ましいとは云えない。
【０００４】
本発明は、このような点に鑑みて、各チャネルの生体信号の対応位置に患者名を筆記具で書くことのできる着脱自在の生体信号モニタ装置用ネームプレートを提供することを目的とする。
【０００５】
【課題を解決するための手段】
本発明は、この目的を達成するために、請求項１により、複数人の患者の生体信号を画像表示面の上方から順に下方へずれた所定の表示位置に複数チャネルで表示する生体信号モニタ装置に着脱自在に装着して、各チャネルに割り当てられた患者名を記名するための生体信号モニタ装置用ネームプレートであって、拭き消し可能に記名することができ、かつ画像表示面に対応した縦幅の記名面を有する正面板と、画像表示面の周囲を囲むフレームの側部の正面に正面板を装着するように、正面板の背後に設けられ、かつ弾性を伴ってフレーム側部を挟持する挟持部材とを備え、正面板には、各チャネルの表示位置に対応して記名すべき位置を指示するマークが付されていることを特徴とする。
【０００６】
ネームプレートを挟持部材によりフレーム側部の所定位置に装着すると、マークで指示された各チャネルの患者名を記名すべき位置は、画像表示面の生体信号の表示位置と対応する。弾性を伴う挟持により容易に着脱できる。
【０００７】
筆記具も保持させるには、請求項２により、正面板におけるフレーム側部よりも側方ヘ突出した部分の背後に、筆記具を保持する筆記具ホルダを設ける。
【０００８】
所属の表示位置との位置対応を容易、かつ正確にするには、請求項３又は４により、挟持部材が、正面板の側部で折返されて正面板に対して離間している背面板であり、レーム側部の背面に、背面板の上下の縁部の少なくとも一方を側方へスライド可能にガイドするガイドレールと、背面板に形成された係合穴に係入する位置決め部用凸部とが形成されるか、又はフレーム側部の背面に、背面板の側縁部を上下方向にスライド可能にガイドするガイドレールと、背面板に形成された係合穴に係入する位置決め部用凸部とが形成される。
【０００９】
【発明の実施の形態】
図１乃至図４を基に本発明の実施の形態の一例による生体信号モニタ装置用ネームプレートを説明する。図２及び図４に示すように、生体信号モニタ装置９はテレメータ式であり、２本のダイバシティアンテナ１の一方の受信信号を復調して画像信号を発生させる回路を内蔵し、かつ生体信号をプリントアウトする紙送り口６ｂを有する装置本体６に、厚さ２０ｍｍ程度のフレーム８で囲まれた液晶式の画像表示面７を有する表示装置６ａが設けられている。この生体信号モニタ装置は、例えば病院のモニタ室に配置されて病室の例えば４名の患者の送信機からの送信信号を受信して、それぞれの生体信号を４チャネルで画像表示面７に表示する。
【００１０】
図１において、ネームプレート１０は、記名面１１が接合され、かつ上板部１８及び底板部１９並びに側板部１６を有するネームプレート本体である正面板１０Ａと、上下板部１８ａ、１９ａ及び側板部１６ａを有する同一縦幅の背面板１０Ｂとが、これらの板部の突き合わせ端面及びこの正、背面板から突設された両側の連結ポール１７、１７ａの突き合わせ端面での接合により断面コの字形に組み合わせて構成されている。
【００１１】
正面板１０Ａは画像表示面７の縦幅に対応した縦幅に設定され、僅かに短い縦幅の記名面１１は画像表示面７の上下方向に４チャネルの表示領域にわたっている。この記名面は、フェルトペン等のインク貯蔵式筆記具で書き易く、かつ容易に拭いて消せるように、非吸湿性のポリエステルフィルム製である。また、各チャネルの表示位置に対応して記名すべき位置を指示する仕切り線用のマーク１１ａが付されている。
【００１２】
このネームプレートは合成樹脂製であり、背面板１０Ｂは、前述のように正面板１０Ａの側部で折返されてフレーム側部８ａの厚みに相当して離間し、また共に曲げ弾性を伴うことによりフレーム側部８ａの挟持部材として機能する。このために、上板部１８、１８ａ及び底板部１９、１９ａにはフレーム側部８ａの断面形状に対応した凹部１８ｂ、１９ｂが形成されている。また、正面板１０Ａの先端部は、フレーム側部８ａの内側部の曲部８ｂに係合する曲部１０ｅとして形成されている。外側部には、特に取り外す場合に指を掛けるための突起状の指掛け部１０ａが線状に形成されている。
【００１３】
背面板１０Ｂには、より撓み易くするように、切込み１２ａにより幅狭の係合プレート部１２が上下に形成され、それぞれ係合穴１３を備えている。対応して、図２に示すように、フレーム側部８ａの裏面には、背面板１０Ｂの上縁１０ｃ及び下縁１０ｄの側方へのスライドをガイドする凸状のガイドレール２０と、係合穴１３に係合する半球状の係合突起２１が形成されている。
【００１４】
上板部１８、１８ａには筆記具例えばフェルトペン２９の挿入口１５が形成され、正面板１０Ａ及び背面板１０Ｂに筆記具端部の受け部１５ａ、１５ｂ（図１Ｂ及び図３参照）が突設されることにより、正面板１０Ａの背後に筆記具ホルダが構成されている。
【００１５】
このように構成されたネームプレート１０の使用方法は、次の通りである。その凹部１８ｂ、１９ｂをフレーム側部８ａに側方から正面板１０Ａ及び背面板１０Ｂの弾性を伴う開拡により係合させ、背面板１０Ｂの上下縁部１０ｃ、１０ｄをガイドレール２０に沿って押し込むと、図３に示すように、正面板１０Ａの先端部の曲部１０ｅがフレーム側部８ａの曲部８ｂに係合した位置で、係合穴１３に係合突起２１が係入してロック作用を伴って位置決めされる。
【００１６】
正面板１０Ａはフレーム側部８ａよりも外側方へ突出していることにより、記名面１１の面積を充分確保し得ると共に、背後に前述の筆記具ホルダを構成させている。記名面１１には装着前又は後に各チャネルに所属する患者名を書いておく。生体信号モニタ装置９の作動状態で、図４に示すように、複数人の生体信号がネームプレート１０の各チャネルの記名領域に位置的に対応して表示され、それぞれを患者名と容易に照合でき、誤認の恐れも解消される。
【００１７】
図５は別の実施の形態による上方からフレーム側部８ａに装着されるネームプレートを示すもので、前述のネームプレートと同等もしくは同一部分は同一符号で説明する。正面板１０Ａ及び背面板１０Ｂの上板部３１、３２は、このネームプレート３０がフレーム側部８ａに上方から装着された際の縦方向の位置決め部材として機能し得るように、それぞれの先端まで延びている。フレーム側部８ａの裏面の前述のガイドレール２０は廃止される。装着に際しては背面板１０Ｂの縁部３３を装置本体６のガイドレールとして機能する側面６ｂ（図２参照）に沿って下方へスライドさせ、上板部３１、３２がフレーム側部８ａの上面８ｃに当接した時点で係合突起２１に係合孔１３が係入することにより、上下左右の位置決めが行われてロック状態となる。尚、背面板１０Ｂの端縁３３のガイドレールは、装置本体６の側面６ｃを利用することなく、別途に上下方向に延びる突起として形成することも考えられる。
【００１８】
【発明の効果】
請求項１の発明によれば、生体信号を上方から順に下方へ複数チャネルで表示する画像表示面の周囲に、挟持し得る程度に薄いフレーム部を備えた生体信号モニタ装置に対して、各チャネルに割り当てられた患者名を筆記具で書くための着脱自在のネームプレートが実現される。フレームに直接書くのに比べて見苦しくなく、着脱自在であることにより書き易くもなる。
【００１９】
請求項２の発明によれば、正面板のフレームからの突出部分を利用して筆記具のホルダも簡単、かつ見栄え良く構成される。請求項３又は４の発明によれば、挟持部が正面板と背後に単純に一体化された背面板であることにより、見栄えの良いネームプレートが実現される。また、ロック作用を有する位置決め部も簡単に形成される
【図面の簡単な説明】
【図１】本発明の実施の形態による生体信号モニタ装置用ネームプレートを示すもので、同図Ａは正面側から見た斜視図、同図Ｂは裏側から見た斜視図である。
【図２】同生体信号モニタ装置の裏側から見た斜視図である。
【図３】同ネームプレートの装着状態の平面図である。
【図４】同生体信号モニタ装置の正面図である。
【図５】別の実施の形態によるネームプレートの斜視図である。
【符号の説明】
８  フレーム側部
９  生体信号モニタ装置
１０  ネームプレート
１０Ａ  正面板
１０Ｂ  背面板
１１  記名面
１１ａ  マーク
１３  係合穴
１５  筆記具の挿入口
１８、１８ａ  上板部
１８ｂ、１９ｂ  凹部
１９、１９ａ  底板部
２０  ガイドレール
２１  係合突起
【図１】
0003665954.tif 000002
【図２】
0003665954.tif 000003
【図３】
0003665954.tif 000004
【図４】
0003665954.tif 000005
【図５】
0003665954.tif 000006